(57)【要約】【課題】連続運転時間を伸ばすと共に、電力変換効率の向上を図ることができるスターリングエンジンの加熱構造を提供する。【解決手段】高温ガスを利用してスターリングエンジン１０２の加熱部１０２ａを熱する加熱構造は、加熱容器１及び、高温ガスを導入する導入路２から構成されている。加熱容器１には、加熱部１０２ａを収容可能な収容口１ｂが上方に形成されている。この収容口１ｂと対極の方向には、加熱部１０２ａを熱した後の高温ガスを排出する排出口１ｃが形成されている。スターリングエンジン１０２の周りに設けられたフランジ１０２ｃに対して、加熱容器１の収容口１ｂの縁に形成されたフランジ４が接合されることにより、加熱部１０２ａが加熱容器１内に収容される。【選択図】図１
2019065814.tif 000002
【特許請求の範囲】
【請求項１】
高温ガスを利用したスターリングエンジンの加熱構造であって、
前記スターリングエンジンの加熱部を収容する収容口と前記加熱部を熱した前記高温ガスを排出する排出口とが互いに対極となる位置に形成されている加熱容器と、
前記加熱容器の内壁に沿って前記高温ガスが導入されるように前記加熱容器に連設されている導入路と
を備えたことを特徴とするスターリングエンジンの加熱構造。
【請求項２】
前記内壁は、前記加熱容器の内側の空間の前記排出口側を絞るように形成されていることを特徴とする請求項１に記載のスターリングエンジンの加熱構造。
【請求項３】
前記内壁には、前記対極の方向を基準軸とした軸回り方向に延びるようにガイド壁が突出して形成されていることを特徴とする請求項１又は２に記載のスターリングエンジンの加熱構造。
【請求項４】
燃焼炉から排出される燃焼ガスを用いたスターリングエンジンの加熱構造であって、
前記スターリングエンジンの加熱部を収容する収容口と前記加熱部を熱した前記燃焼ガスの排出口とが互いに対極となる位置に形成されている加熱容器と、
前記加熱容器の内壁に沿って前記燃焼ガスが導入されるように前記加熱容器に連設されている導入路と
を備えたことを特徴とするスターリングエンジンの加熱構造。
【発明の詳細な説明】
【技術分野】
【０００１】
本発明は、スターリングエンジンの加熱部を熱する加熱構造であって、特に、熱電併給システムにおける燃焼炉の燃焼ガスなどの高温ガスを利用したスターリングエンジンの加熱構造に関するものである。
【背景技術】
【０００２】
発電の際に生じる廃熱を回収し、電気エネルギーと共に熱エネルギーについても無駄なく利用する熱電併給（ＣＨＰ：Ｃｏｍｂｉｎｅｄ  Ｈｅａｔ  ａｎｄ  Ｐｏｗｅｒ）のシステムが知られている。この熱電併給システムで回収された廃熱は暖房や給湯などに利用される。
【０００３】
熱電併給システムの形態には様々な規模のものがあり、比較的小規模な形態の一つに、燃焼炉とスターリングエンジンとを組み合わせた構成がある。スターリングエンジンを用いた構成では、出力１００ｋＷ以下のシステムが一般的である。
【０００４】
図８は、従来の熱電併給システムを構成するバイオマス燃料ストーブ発電装置を模式的に示している。図８（ａ）は装置全体の構成を表し、（ｂ）は内部構造と共にシステム全体を表している。
【０００５】
図８（ａ）に示すように、バイオマス燃料ストーブ発電装置は、バイオマス燃料ストーブ１０１とスターリングエンジン発電機１０２で構成されている。バイオマス燃料ストーブ１０１における燃焼により暖房や給湯が可能であり、燃焼の排気は側方の煙突１０３から排出される。
【０００６】
また、図８（ｂ）に示すように、バイオマス燃料ストーブ１０１内には、スターリングエンジン発電機１０２の加熱部１０２ａが燃焼室１０１ａ内に突出するように天井部分に配置されている。一方、燃焼室１０１ａの外側に配置された冷却部１０２ｂは、空冷ファン１０４によって強制冷却される構成となっている。
【０００７】
スターリングエンジン発電機１０２の発電により得られた電気は、制御装置１０５の制御によってバッテリー１０６に蓄電される。そして、バッテリー１０６に蓄電された電気は、ＤＣ／ＡＣ変換器１０７を介して電化製品１０８に利用できる。
【０００８】
このように、熱電併給システムでは、燃焼室１０１ａで発生した熱の一部は、スターリングエンジン発電機１０２により電力変換に利用され、残りの熱は暖房や給湯などに利用できる。
【０００９】
ところで、スターリングエンジン発電機１０２は、加熱部１０２ａと冷却部１０２ｂとの温度差が大きいほど電力変換効率が高い。よって、図８に示した構成では、できるだけ損失を抑えた熱の伝達を行って十分な温度差が得られるように、加熱部１０２ａは燃焼室１０１ａ内に直接晒すようにして設置されている。ここでは、空冷ファン１０４を用いて冷却部１０２ｂを冷却する構成が示されているが、冷却水などの冷媒を循環させる液冷式の構成に置き換えると、冷媒により回収された熱も有効に利用することが可能である。
【００１０】
図８に示した燃焼室１０１ａは直接燃焼型の簡易的な構成の炉であり、木質材料を燃料として用いることができる。具体的には、木質ペレット、建築廃材や間伐材などを利用した木質チップ、かんな屑又はキノコの廃菌床といった多種の材料を燃料として利用できる
。
【００１１】
近年懸念されている化石燃料の枯渇問題やエネルギー利用の高効率化を考慮して、前述のような木質バイオマス燃料を用いた熱電併給システムに注目が集まっている。図８に示したバイオマス燃料ストーブ発電装置については、特許文献１に記載がある。
【先行技術文献】
【特許文献】
【００１２】
【特許文献１】特開２０１４−２３９５９２号公報
【発明の概要】
【発明が解決しようとする課題】
【００１３】
しかしながら、図８に示した構成のように、スターリングエンジン発電機１０２の加熱部１０２ａを直接火元に晒すと、燃焼により生じた煤などが堆積し易く、すぐに電力変換効率が低下してしまう。よって、煤などの堆積物を除去するために、頻繁にメンテナンスを行う必要がある。これにより、連続運転時間が短縮されてしまい、電力変換効率の低下やランニングコストの増大といった問題が生じる。
【００１４】
また、加熱部１０２ａに対する燃料や炎との位置関係は常に一定ではなく、燃料の投入位置や炎の揺らぎによって熱の偏りが生じ易い。また、燃料の材質が不均一な場合も燃焼状態に揺らぎが生じ易い。したがって、スターリングエンジン発電機１０２のスペック通りの電力変換の能力が十分に活かされない場合がある。
【００１５】
そこで、本発明は、連続運転時間を伸ばすと共に、電力変換効率の向上を図ることができるスターリングエンジンの加熱構造を提供することを目的とする。
【課題を解決するための手段】
【００１６】
上記目的を達成するために、本発明のスターリングエンジンの加熱構造は、高温ガスを利用したスターリングエンジンの加熱構造であって、前記スターリングエンジンの加熱部を収容する収容口と前記加熱部を熱した前記高温ガスを排出する排出口とが互いに対極となる位置に形成されている加熱容器と、前記加熱容器の内壁に沿って前記高温ガスが導入されるように前記加熱容器に連設されている導入路とを備えたことを特徴とする。
【００１７】
また、本発明のスターリングエンジンの加熱構造は、上記構成に加えて、前記内壁は、前記加熱容器の内側の空間の前記排出口側を絞るように形成されていることを特徴とする。
【００１８】
また、本発明のスターリングエンジンの加熱構造は、上記構成に加えて、前記内壁には、前記対極の方向を基準軸とした軸回り方向に延びるようにガイド壁が突出して形成されていることを特徴とする。
【００１９】
また、本発明のスターリングエンジンの加熱構造は、燃焼炉から排出される燃焼ガスを用いたスターリングエンジンの加熱構造であって、前記スターリングエンジンの加熱部を収容する収容口と前記加熱部を熱した前記燃焼ガスの排出口とが互いに対極となる位置に形成されている加熱容器と、前記加熱容器の内壁に沿って前記燃焼ガスが導入されるように前記加熱容器に連設されている導入路とを備えたことを特徴とする。
【発明の効果】
【００２０】
以上のように、本発明によれば、導入路は加熱容器の内壁に沿って高温ガスを導入するように連設されている。これにより、導入された高温ガスは、収容されている加熱部の回
りに旋回流を生じる。また、排出口は、収容口と対極方向の位置に、すなわち、導入路と立体交差の方向に形成されているので、旋回流を乱すことなくスムーズに高温ガスを排出口から排出できる。
【００２１】
また、本発明によれば、上記効果に加えて、排気口側の空間が絞られるように加熱容器の内空間が形成されているので、加熱容器内を旋回する高温ガスの滞留時間が長くなる。これにより、高温ガスの温度の変動の影響を低減できるので、安定した電力変換が可能になる。
【００２２】
また、本発明によれば、上記効果に加えて、対極方向を軸とする軸回りに沿ってガイド壁が突設されている。これにより、旋回流が軸回り方向へ整流されると共に、導入路から排出口への直線的な流出を防ぐことができ、加熱容器内の温度が均一に保たれる。
【図面の簡単な説明】
【００２３】
【図１】本発明の実施の形態に係るスターリングエンジンの加熱容器の斜視図である。
【図２】図１の加熱容器の使用状態を示す一部破断による斜視図である。
【図３】図１の加熱容器の平面図である。
【図４】図１の加熱容器の変形例である円錐型の加熱容器を示し、（ａ）は側面図、（ｂ）は斜視図である。
【図５】図１の加熱容器の変形例である雲型の加熱容器を示し、（ａ）は側面図、（ｂ）は斜視図である。
【図６】図１の加熱容器の変形例であるガイド壁の一部破断による斜視図である。
【図７】図６の加熱容器の中央縦断面図である。
【図８】従来のバイオマス燃料ストーブ発電装置を示す図である。
【発明を実施するための形態】
【００２４】
以下、本発明の実施の形態に係るスターリングエンジンの加熱構造について図を用いて説明する。
【００２５】
（第１の実施の形態）
図１は、本発明の第１の実施の形態に係るスターリングエンジン発電機１０２（以下、スターリングエンジン１０２と呼ぶ。）及び加熱構造を示した斜視図である。スターリングエンジン１０２は破線で表されており、高温ガスから熱エネルギーを受ける加熱部１０２ａ側を下方に向け、冷却部１０２ｂを上方に配置した様子が示されている。このスターリングエンジン１０２の下方に実線で示されているのは、本発明の加熱構造である。なお、加熱構造については、発明を説明するために必要最小限の構成を模式的に図示するのに止め、断熱構造など、加熱構造に付随する具体的な構成についての図示を省略している。また、スターリングエンジン１０２についても、冷却のための外部構造や電力供給のための端子などの細かな構成については、図示を省略している。
【００２６】
加熱構造を構成する加熱容器１には、スターリングエンジン１０２の加熱部１０２ａを熱するための高温ガスを導入する導入路２が連設されている。本発明の加熱構造には、この導入路２も含まれる。加熱容器１の上方には、スターリングエンジン１０２の加熱部１０２ａを収容する収容口１ｂが形成されている。また、加熱容器１の下方には、加熱部１０２ａを加熱した後の高温ガスを排出する排出口１ｃが形成されている。これら収容口１ｂと排出口１ｃとは、加熱容器１において互いに対極の位置に形成されている。図１では、この対極の方向を便宜的に一点鎖線の基準軸Ａで表している。
【００２７】
スターリングエンジン１０２の加熱部１０２ａは、基準軸Ａの方向に向けて加熱容器１に収容される。加熱容器１の収容口１ｂの縁にはフランジ４が設けられている。また、ス
ターリングエンジン１０２の加熱部１０２ａの周りにはフランジ１０２ｃが設けられている。これらフランジ４及びフランジ１０２ｃを接合させることによって、スターリングエンジン１０２が加熱構造（加熱容器１）に固定される。フランジ１０２ｃよりも上方に配置された冷却部１０２ｂは、循環する冷却水や空冷ファンなどを用いて強制冷却を行うことにより、加熱部１０２ａとの温度差を安定させるように制御される。
【００２８】
加熱部１０２ａは、概形が略円柱状に形成されており、これを収容する加熱容器１は、基準軸Ａを中心とした略回転対称形に形成されている。加熱容器１内に高温ガスを導入する導入路２は、加熱容器１の側面に連設されている。本実施の形態に係る構成では、導入路２は、基準軸Ａを中心とする周方向に沿った接線方向に延びるように設けられている。
【００２９】
ところで、断熱構造など、加熱構造に付随する構成を省略して示していることは上述したが、具体的には、燃焼炉の燃焼ガスを加熱用の高温ガスとして利用する場合、スターリングエンジン１０２の冷却部１０２ｂに輻射熱の影響を与えないように、加熱容器１及び導入路２に対して断熱構造を設ける必要がある。例えば、加熱容器１及び導入路２を覆うように二重構造を形成することによって、外部との間に閉空間を設ける。そして、この閉空間内に冷却水などの冷媒を循環させたり、断熱材を充填することにより、外部に対して断熱される。
【００３０】
次に、本実施の形態に係る加熱構造の使用状態について説明する。図２は、図１の加熱容器１の使用状態を示した一部破断による斜視図である。導入路２が加熱容器１に連設される領域が一部破断しており、内部に収容された加熱部１０２ａの位置が確認できる。導入路２から導入された高温ガスＧについては、一点鎖線によって、その流れの方向が示されている。図２から見て取れるように、円柱状の概形を有する加熱部１０２ａの接線方向から導入された高温ガスＧは、加熱容器１の内壁１ａに沿って加熱部１０２ａの周囲を回りながら、下方の排出口１ｃへ向かって螺旋状に流れ出る。このように、加熱部１０２ａと加熱容器１の内壁１ａとの間には、高温ガスＧを流すための空間が設けられている。この空間を周回しながら熱交換が行われるので、加熱部１０２ａの全周において均等に熱エネルギーを受けることが可能であり、高効率な電力変換が可能となる。
【００３１】
次に、図２の使用状態を平面視により説明する。図３は、加熱部１０２ａを収容した加熱容器１の平面視による断面図である。断面位置は導入路２の略中心であり、高温ガスＧの流れは図２と同様に一点鎖線で表されている。
【００３２】
図３に示されているように、導入路２から導入された高温ガスＧは、加熱容器１の内壁１ａに沿って滑らかに流れ、スターリングエンジン１０２の加熱部１０２ａの周りを数度周回しながら中央の排出口へ向かって流れ出る。このように、高温ガスＧは加熱容器１の内壁１ａに沿って滑らかに導入されるので、加熱容器１内で周回運動に移行することにより、流れに遠心力が生じる。これにより、加熱部１０２ａの周りに高温ガスＧを一定時間滞留させることが可能である。
【００３３】
ここで、図２の説明に戻って、本実施の形態に係る構成では、加熱容器１の内壁１ａは、排出口１ｃ側において内側の空間を絞るように形成されている。このように、排出口１ｃの近傍の空間が絞られているので、排出のための適度な抵抗が生じる。よって、上述の遠心力の作用に加えて、適度な排出抵抗による作用も、加熱部１０２ａの周辺に高温ガスＧを滞留させることに寄与している。このように、加熱部１０２ａを取り巻く領域で高温ガスＧが一定時間滞留できるように構成されているので、高温ガスＧの温度に多少の変動が生じた場合であっても、加熱容器１内の温度変動は抑制される。これにより、安定した電力変換が可能となる。
【００３４】
例えば、木質材料を燃料とする燃焼炉から高温ガスとして排出される燃焼ガスを発電に利用する場合、燃料の投下位置の偏りや不均質な燃料によって燃焼状態に揺らぎが生じる場合がある。しかし、本実施の形態に係る構成によれば、このような揺らぎによる高温ガスの温度変動を吸収して、熱分布の偏りのない高効率な熱交換が可能であり、延いては、安定した電力変換が可能となる。
【００３５】
（第２の実施の形態）
図４は、図１の加熱容器１の変形例である円錐型の加熱容器２１であり、（ａ）は側面図、（ｂ）は斜視図を示している。ここでも、図１の加熱容器１の説明と同様に、内側の空間を形成する内壁の形状が理解し易いように、断熱構造などは省略し、模式的に表している。また、第１の実施の形態に示したのと同一の構成については同一の符号を付して説明する。
【００３６】
収容口１ｂと排出口１ｃとは互いに対極（基準軸Ａの延びる方向）となる位置に形成されている点、及び、排出口１ｃ側に向けて内側の空間が絞られるように形成されている点においては、図１の加熱容器１と同様である。
【００３７】
一方、図１の加熱容器１の内壁１ａが椀型に形成されているのに対して、図４の加熱容器２１の内壁２１ａは円錐型に形成されている点において異なっている。そして、内壁２１ａは、加熱部１０２ａが収容される上方の領域において、上述の円錐型に形成されている形状から円筒型に形を変えるように連設されている。このように構成されているので、導入路２から導入された高温ガスは、円錐型に形成された領域の内壁２１ａに沿って上方へ集まり易く、加熱部１０２ａの周辺に高温ガスが滞留し易い。また、円筒型の領域に一定量の高温ガスを滞留させながら保持できる。したがって、加熱部１０２ａの周辺で高温ガスが十分に攪拌され、偏りなく熱交換が行われる。送られてくる高温ガスの温度変動の影響を受け難いという効果についても、図１の加熱構造と同様であり、電力変換が安定する。
【００３８】
このように、排出口１ｃ側の空間が絞られているので、排出口１ｃ周辺で高温ガスの流れに適度な抵抗が生じ、加熱部１０２ａの周りに高温ガスが滞留できる時間を長く設定できる。
【００３９】
（第３の実施の形態）
図５は、図１の加熱容器１の変形例である雲形の加熱容器であり、（ａ）は側面図、（ｂ）は斜視図を示している。図１と同様に、説明の便宜のため、内側の空間を形成する内壁の形状を理解し易いように、断熱構造などは図示を省略した模式図で表している。
【００４０】
収容口１ｂと排出口１ｃとは互いに対極（基準軸Ａの延びる方向）となる位置に形成されている点、及び、排出口１ｃ側に向けて内側の空間が絞られるように形成されている点においては、図１の加熱容器１と同様である。  
【００４１】
一方、図１の加熱容器１の内壁１ａが椀型に形成されているのに対して、図５の加熱容器４１の内壁４１ａは雲形に形成されている点において異なっている。すなわち、図５の加熱容器４１の内壁４１ａは、排出口１ｃ側へ向かって段階的に内側空間が絞られている。したがって、基準軸Ａを中心とする周方向に繋がる凸構造が排出口１ｃと導入路２との間に複数の障壁となって形成されている。
【００４２】
このため、導入路２から送られてきた高温ガスは、それぞれの凸構造による障壁によって、排出口１ｃへ向かう直接的な流れを抑えられる。よって、上記凸構造同士の間に形成された溝に沿って高温ガスが集まり易く、加熱部１０２ａの周りに安定した旋回流が得ら
れる。これにより、図４の加熱容器２１と同様に、加熱部１０２ａの周辺で高温ガスが十分に攪拌され、電力変換が安定する。
【００４３】
（第４の実施の形態）
図６は、図１の加熱容器１の変形例であるガイド壁６３を有した加熱容器６１の一部破断による斜視図を示している。
【００４４】
加熱容器６１の概形は、図１の加熱容器１と略同じである。内壁６１ａに高温ガスの流れをガイドするガイド壁６３が形成されている点において図１の加熱容器１とは異なっている。
【００４５】
このガイド壁６３は、導入路２の加熱容器１への連設箇所近傍から始まり、排出口１ｃの近傍へと繋がる螺旋形状となっている。このように構成されているので、導入路２から導入された高温ガスは、ダイレクトに排出口１ｃへ流れずに、螺旋状のガイド壁６３に沿って流れる。これにより、高温ガスは、スターリングエンジン１０２の加熱部１０２ａを中心に周回しながら徐々に排出口１ｃへ導かれて排出される。
【００４６】
図７は、図６の加熱容器６１の縦断面図を示している。収容口１ｂと排出口１ｃとを結ぶ対極の方向が一点鎖線の基準軸Ａで表わされている。図７に見て取れるように、加熱容器６１の内側の空間へ突出して形成されているガイド壁６３は、排出口１ｃ側へ向けて傾斜している。図７では、ガイド壁６３の上面に沿った方向に延びる延長線と基準軸Ａとのなす角が角度θで表されている。これらの角度θはすべて、９０度よりも小さい値になるように設計されている。
【００４７】
このように構成されているので、遠心力の作用により加熱容器６１の内壁に沿って周回する高温ガスは、ガイド壁６３の傾斜に沿って排出口１ｃから遠ざかる方向へ持ち上げられるので、滞留時間が長くなる。これにより、燃焼に揺らぎが生じて、高温ガスの温度が多少変動した場合であっても、滞留による攪拌で緩和されるので、熱電変換の効率に対する変動が緩和され、安定した電力供給が可能となる。
【００４８】
以上に述べてきたような加熱構造は、構成要素である加熱容器１、２１、４１及び６１中を流れる高温ガスが正圧及び負圧の何れの圧力に基づく場合であっても同様に機能する。すなわち、高温ガスの流れの上流側に送風装置を有し、加熱容器１、２１、４１及び６１に対して正圧により流れが生じる場合や、逆に、下流側に吸引装置を有し、負圧の作用によって流れが生じる場合にも同様の作用が生じる。これにより、燃焼装置において燃焼ガスを利用する構成以外にも、発電可能な温度要件を満たす高温ガスの流れの中であれば、多くの分野で採用することが可能である。
【００４９】
なお、上記の各実施の形態に示した構成は本発明を表す例の一部であり、以下のような変形も含まれる。
【００５０】
上記の各実施の形態では、収容口１ｂと排出口１ｃとが互いに対極の位置に形成されている構成を例として示した。しかし、加熱部１０２ａが収容されている側と反対側に高温ガスが排出される構成であれば十分であり、両者が完全に中心軸上に一致している必要はない。
【００５１】
また、上記の各実施の形態では、排出口の開口方向が、基準軸Ａの延びる方向（対極方向）と一致している構成を例として示した。しかし、少なくとも、収容口と排出口との位置関係が互いに対極であれば、排出口が基準軸Ａと交差する方向に開口している構成であっても構わない。
【００５２】
また、上記の各実施の形態では、加熱容器が基準軸Ａを中心とする回転対称形に形成されている構成を例として示した。しかし、少なくとも、基準軸Ａを中心とする周方向へ内壁が滑らかに連続する形状であれば、例えば、基準軸Ａに直交する切断面が楕円形であるような非回転対称の構造であっても構わない。
【００５３】
また、上記の各実施の形態では、加熱容器に対して一本の導入路２が連設されている構成を例として示した。しかし、一つの加熱容器に対して複数本の導入路２が連設された構成であっても構わない。この場合、基準軸Ａ回りに等角度の配置で設けると、流れに偏りや乱れが生じ難い。
【００５４】
また、上記の各実施の形態では、基準軸Ａに直交する平面と略平行に導入路２が配置されている構成を例として示した。しかし、加熱容器の内壁に沿うように、且つ、加熱部の周りにスムーズに流れることができる角度であれば、直交平面に対して傾斜して配置されている構成でも構わない。例えば、排出口側とは反対側に流れるように導入路２を連設すると、排出口へ向かって流れるまでの滞留時間を長く設定できる。
【００５５】
また、上記の各実施の形態では、導入路２は断面円形であり、且つ、断面積が均一である構成を例として示した。しかし、導入路２の断面は円形に限定されず、断面積も均一でなくても構わない。さらに、導入路２は直線状に形成されていなくても構わない。例えば、加熱容器の概形に沿って緩やかに湾曲した構成でも良い。
【００５６】
また、上記の各実施の形態では、加熱容器の接線方向に延びるように導入路２が連設されている構成を例として示した。しかし、加熱容器の内壁に沿って高温ガスをスムーズに送り込むことができる構成であれば、導入路２の延びる方向は接線方向に限定されるものではない。例えば、基準軸Ａに直交する方向に導入路２が連設されていても、加熱容器内で、内壁に沿う方向に整流するガイド構造を有する構成であれば、同様の効果を得ることができる。
【００５７】
また、上記の第４の実施の形態では、ガイド壁６３は、導入路２の近傍から排出口の近傍まで螺旋状に繋がっている構成を例として示した。しかし、ガイド壁６３は、部分的に分断された構成であっても構わない。さらに、少なくとも、導入路２の近傍に形成されていれば、加熱部１０２ａの周辺の滞留時間を長くすることができる。また、収容口と排出口とを結ぶ基準軸Ａに対して周方向に延びるガイド壁６３であれば、螺旋状でなくても構わない。例えば、基準軸Ａを中心とする環状のガイド壁６３を対極方向へ複数本並べて形成する構成であっても構わない。
【００５８】
また、上記の第４の実施の形態では、ガイド壁６３は、加熱容器の内側に向かって排出口側へ傾斜するように形成されている構成を例として示した。しかし、傾斜せず、基準軸Ａに対して略直交する方向に延びるように形成されていても構わない。
【産業上の利用可能性】
【００５９】
本発明のスターリングエンジンの加熱構造は、多様な木質燃料に対して電力変換ができるので、ライフラインが切断されるような災害時において有用である。また、燃焼の揺らぎの影響を低減できるので、太陽光発電や風力発電などと比較して安定的に電力供給を行うことが可能である。
【符号の説明】
【００６０】
１、２１、４１、６１      加熱容器（加熱構造）
１ａ、２１ａ、４１ａ、６１ａ      内壁
１ｂ      収容口
１ｃ      排出口
２      導入路（加熱構造）
４      フランジ
６３      ガイド壁
１０１      バイオマス燃料ストーブ
１０２      スターリングエンジン発電機
１０３      煙突
１０１ａ      燃焼室
１０２ａ      加熱部
１０２ｂ      冷却部
１０４      空冷ファン
１０５      制御装置
１０６      バッテリー
１０７      ＤＣ／ＡＣ変換器
１０８      電化製品
Ａ      基準軸
Ｇ      燃焼ガス（高温ガス）
【図１】
2019065814.tif 000003
【図２】
2019065814.tif 000004
【図３】
2019065814.tif 000005
【図４】
2019065814.tif 000006
【図５】
2019065814.tif 000007
【図６】
2019065814.tif 000008
【図７】
2019065814.tif 000009
【図８】
2019065814.tif 000010